【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
記録材が載置される載置部と、
前記載置部に載置された記録材を給送する給送部材と、
前記給送部材によって給送された記録材を搬送する搬送部材と、
前記搬送部材とニップ部を形成し、前記ニップ部において複数の記録材を分離する分離部材と、
複数の記録材が前記ニップ部に給送されたことを検知する検知部と、
前記給送部材によって前記載置部に載置された記録材の給送を開始させ、前記検知部によって複数の記録材が前記ニップ部に給送されたことを検知した場合に、前記給送部材による給送動作を終了させる制御部と、
前記載置部から給送された記録材に画像を形成する画像形成部と、を有する画像形成装置において、
前記載置部に載置された記録材の給送方向における上流側の端を規制する規制部を有し、
前記制御部は、前記給送部材によって記録材の給送を開始してから、前記検知部によって複数の記録材が前記ニップ部に給送されたことを検知するまでの時間を計測し、計測した前記時間に基づいて、前記規制部の位置が前記載置部に載置された記録材のサイズに応じた位置からずれていることを示す情報を出力することを特徴とする画像形成装置。
【請求項２】
前記制御部は、計測した前記時間が第一の閾値時間をこえた回数をカウントし、カウントした前記回数が所定の閾値回数よりも多い場合、前記規制部の位置がずれていることを示す前記情報を出力し、カウントした前記回数が前記所定の閾値回数よりも少ない場合、前記規制部の位置がずれていることを示す前記情報を出力しないことを特徴とする請求項１に記載の画像形成装置。
【請求項３】
前記ニップ部よりも記録材の給送方向における下流側の位置に記録材が到達したか否かを検知する記録材検知部を有し、
前記給送部材によって記録材の給送を開始してから、前記第一の閾値時間よりも短い第二の閾値時間が経過するまでの期間に、前記記録材検知部が記録材を検知しない場合、前記制御部は前記給送部材による給送動作を終了させることを特徴とする請求項２に記載の画像形成装置。
【請求項４】
前記給送部材によって記録材の給送を開始してから、前記第一の閾値時間よりも長い第三の閾値時間が経過するまでの期間に、前記検知部によって複数の記録材が前記ニップ部に給送されたことを検知しない場合、前記制御部は前記給送部材による給送動作を終了させることを特徴とする請求項２又は３に記載の画像形成装置。
【請求項５】
前記第一の閾値時間は、前記載置部に載置された記録材のサイズ、又は前記載置部から給送された記録材の枚数、又は周囲の温度や湿度に基づいて設定されることを特徴とする請求項２乃至４のいずれか１項に記載の画像形成装置。
【請求項６】
複数の記録材を連続して前記載置部から給送させる場合であって、給送される一枚目の記録材の先端が前記ニップ部へと給送されていない場合において、前記制御部は前記一枚目の記録材について計測した前記時間は、前記規制部の位置がずれていることを判断するために用いないことを特徴とする請求項１乃至５のいずれか１項に記載の画像形成装置。
【請求項７】
前記規制部の位置がずれていることを示す前記情報が表示される表示部を有することを特徴とする請求項１乃至６のいずれか１項に記載の画像形成装置。
【請求項８】
前記規制部は前記給送方向において移動可能であり、前記情報は前記記録材のサイズに応じた位置から前記給送方向とは反対の方向に前記規制部の位置がずれていることを示す情報であることを特徴とする請求項１乃至７のいずれか１項に記載の画像形成装置。
【請求項９】
前記制御部は、前記給送部材の回転を停止させる、又は前記給送部材と前記載置部に載置された記録材を離間させることによって、前記給送部材による給送動作を終了させることを特徴とする請求項１乃至８のいずれか１項に記載の画像形成装置。
【請求項１０】
１枚の記録材が前記ニップ部に給送された場合、前記分離部材は前記１枚の記録材を給送するように所定の方向へ回転し、複数の記録材が前記ニップ部に給送された場合、前記分離部材は前記複数の記録材のうち１枚の記録材を給送して残りの記録材の給送を妨げるように、回転を停止又は前記所定の方向とは反対の方向へ回転し、
前記検知部は、前記分離部材の回転状態を検知する回転検知部であって、
前記回転検知部によって前記分離部材の前記所定の方向への回転速度が所定の速度よりも遅くなったこと、又は前記分離部材が回転を停止又は前記反対の方向へ回転していることを検知したことによって、前記複数の記録材が前記ニップ部に給送されたことを検知することを特徴とする請求項１乃至９のいずれか１項に記載の画像形成装置。
【請求項１１】
記録材が載置される載置部と、
前記載置部に載置された記録材を給送する給送部材と、
前記給送部材によって給送された記録材を搬送する搬送部材と、
前記搬送部材とニップ部を形成し、前記ニップ部において複数の記録材を分離する分離部材と、
複数の記録材が前記ニップ部に給送されたことを検知する検知部と、
前記給送部材によって前記載置部に載置された記録材の給送を開始させ、前記検知部によって複数の記録材が前記ニップ部に給送されたことを検知した場合に、前記給送部材による給送動作を終了させる制御部と、を有する給送装置において、
前記載置部に載置された記録材の給送方向における上流側の端を規制する規制部を有し、
前記制御部は、前記給送部材によって記録材の給送を開始してから、前記検知部によって複数の記録材が前記ニップ部に給送されたことを検知するまでの時間を計測し、計測した前記時間に基づいて、前記規制部の位置が前記載置部に載置された記録材のサイズに応じた位置からずれていることを示す情報を出力することを特徴とする給送装置。
【請求項１２】
前記制御部は、計測した前記時間が第一の閾値時間をこえた回数をカウントし、カウントした前記回数が所定の閾値回数よりも多い場合、前記規制部の位置がずれていることを示す前記情報を出力し、カウントした前記回数が前記所定の閾値回数よりも少ない場合、前記規制部の位置がずれていることを示す前記情報を出力しないことを特徴とする請求項１１に記載の給送装置。
【請求項１３】
前記規制部は前記給送方向において移動可能であり、前記情報は前記記録材のサイズに応じた位置から前記給送方向とは反対の方向に前記規制部の位置がずれていることを示す情報であることを特徴とする請求項１１に記載の給送装置。
【請求項１４】
前記制御部は、前記給送部材の回転を停止させる、又は前記給送部材と前記載置部に載置された記録材を離間させることによって、前記給送部材による給送動作を終了させることを特徴とする請求項１１に記載の給送装置。
【請求項１５】
１枚の記録材が前記ニップ部に給送された場合、前記分離部材は前記１枚の記録材を給送するように所定の方向へ回転し、複数の記録材が前記ニップ部に給送された場合、前記分離部材は前記複数の記録材のうち１枚の記録材を給送して残りの記録材の給送を妨げるように、回転を停止又は前記所定の方向とは反対の方向へ回転し、
前記検知部は、前記分離部材の回転状態を検知する回転検知部であって、
前記回転検知部によって前記分離部材の前記所定の方向への回転速度が所定の速度よりも遅くなったこと、又は前記分離部材が回転を停止又は前記反対の方向へ回転していることを検知したことによって、前記複数の記録材が前記ニップ部に給送されたことを検知することを特徴とする請求項１１に記載の給送装置。
【手続補正２】
【補正対象書類名】明細書
【補正対象項目名】０００８
【補正方法】変更
【補正の内容】
【０００８】
上記の目的を達成するための本発明の画像形成装置は、記録材が載置される載置部と、前記載置部に載置された記録材を給送する給送部材と、前記給送部材によって給送された記録材を搬送する搬送部材と、前記搬送部材とニップ部を形成し、前記ニップ部において複数の記録材を分離する分離部材と、複数の記録材が前記ニップ部に給送されたことを検知する検知部と、前記給送部材によって前記載置部に載置された記録材の給送を開始させ、前記検知部によって複数の記録材が前記ニップ部に給送されたことを検知した場合に、前記給送部材による給送動作を終了させる制御部と、前記載置部から給送された記録材に画像を形成する画像形成部と、を有する画像形成装置において、前記載置部に載置された記録材の給送方向における上流側の端を規制する規制部を有し、前記制御部は、前記給送部材によって記録材の給送を開始してから、前記検知部によって複数の記録材が前記ニップ部に給送されたことを検知するまでの時間を計測し、計測した前記時間に基づいて、前記規制部の位置が前記載置部に載置された記録材のサイズに応じた位置からずれていることを示す情報を出力することを特徴とする。
【手続補正３】
【補正対象書類名】明細書
【補正対象項目名】０００９
【補正方法】変更
【補正の内容】
【０００９】
また、上記の目的を達成するための本発明の給送装置は、記録材が載置される載置部と、
前記載置部に載置された記録材を給送する給送部材と、前記給送部材によって給送された記録材を搬送する搬送部材と、前記搬送部材とニップ部を形成し、前記ニップ部において複数の記録材を分離する分離部材と、複数の記録材が前記ニップ部に給送されたことを検知する検知部と、前記給送部材によって前記載置部に載置された記録材の給送を開始させ、前記検知部によって複数の記録材が前記ニップ部に給送されたことを検知した場合に、前記給送部材による給送動作を終了させる制御部と、を有する給送装置において、前記載置部に載置された記録材の給送方向における上流側の端を規制する規制部を有し、前記制御部は、前記給送部材によって記録材の給送を開始してから、前記検知部によって複数の記録材が前記ニップ部に給送されたことを検知するまでの時間を計測し、計測した前記時間に基づいて、前記規制部の位置が前記載置部に載置された記録材のサイズに応じた位置からずれていることを示す情報を出力することを特徴とする。